(57)【要約】      （修正有）【課題】光信号の切替接続に伴う光増幅器の過渡応答を抑圧し、光信号の切替接続完了時間を短縮する。【解決手段】対向する光信号切替装置はパイロット光を主信号光に波長多重し、双方向の光ファイバ伝送路にそれぞれ同じタイミングで送出する手段を備え、一方の光信号切替装置からみて初段、他方の光信号切替装置からみて最終段の光増幅中継装置は、一方の光ファイバ伝送路からの入力光を主信号光とパイロット光に波長分離する分波器と、分波器で波長分離されたパイロット光を他方の光ファイバ伝送路からの入力光に波長多重する合波器とを備え、分波器で波長分離された主信号光を光増幅器で増幅して一方の光ファイバ伝送路に出力するとともに、パイロット光を他方の光ファイバ伝送路に接続される光増幅器に入力し、当該光増幅器を待機状態から動作状態に状態遷移させる構成である。【選択図】図１
2010199782.tif 000002
【特許請求の範囲】
【請求項１】
対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムにおいて、
前記対向する光信号切替装置は、前記主信号光とは異なる波長のパイロット光を主信号光に波長多重し、前記双方向の光ファイバ伝送路にそれぞれ同じタイミングで送出する手段を備え、
前記双方向の光ファイバ伝送路に配置される２以上の光増幅中継装置のうち、一方の光信号切替装置からみて初段の光増幅中継装置であり他方の光信号切替装置からみて最終段の光増幅中継装置は、
一方の光ファイバ伝送路からの入力光を前記主信号光と前記パイロット光に波長分離する分波器と、
前記分波器で波長分離された前記パイロット光を他方の光ファイバ伝送路からの入力光に波長多重する合波器と
を備え、前記分波器で波長分離された主信号光を前記光増幅器で増幅して一方の光ファイバ伝送路に出力するとともに、前記パイロット光を他方の光ファイバ伝送路に接続される前記光増幅器に入力し、当該光増幅器を待機状態から動作状態に状態遷移させる構成である
ことを特徴とする光伝送システム。
【請求項２】
対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムにおいて、
前記対向する光信号切替装置は、前記主信号光とは異なる波長のパイロット光を主信号光に波長多重し、前記双方向の光ファイバ伝送路にそれぞれ同じタイミングで送出する手段を備え、
前記双方向の光ファイバ伝送路に配置される２以上の光増幅中継装置のうち、一方の光信号切替装置からみて前半の光増幅中継装置であり他方の光信号切替装置からみて後半の光増幅中継装置は、
一方の光ファイバ伝送路からの入力光を分岐し、その一方の入力光を前記光増幅器に入力する光カプラと、
前記光カプラで分岐された入力光から前記パイロット光を分離する光フィルタと、
前記光フィルタで分離された前記パイロット光を他方の光ファイバ伝送路からの入力光に波長多重する合波器と
を備え、前記光カプラで分岐された一方の入力光を前記光増幅器で増幅して一方の光ファイバ伝送路に出力するとともに、前記パイロット光を他方の光ファイバ伝送路に接続される前記光増幅器に入力し、当該光増幅器を待機状態から動作状態に状態遷移させる構成である
ことを特徴とする光伝送システム。
【請求項３】
対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムの光増幅器制御方法において、
前記対向する光信号切替装置は、前記主信号光とは異なる波長のパイロット光を主信号光に波長多重し、前記双方向の光ファイバ伝送路にそれぞれ同じタイミングで送出する手段を備え、
前記双方向の光ファイバ伝送路に配置される２以上の光増幅中継装置のうち、一方の光信号切替装置からみて初段の光増幅中継装置であり他方の光信号切替装置からみて最終段の光増幅中継装置は、一方の光ファイバ伝送路からの入力光を分波器で前記主信号光と前記パイロット光に波長分離し、前記分波器で波長分離された前記パイロット光を合波器で他方の光ファイバ伝送路からの入力光に波長多重し、前記分波器で波長分離された主信号光を前記光増幅器で増幅して一方の光ファイバ伝送路に出力するとともに、前記パイロット光を他方の光ファイバ伝送路に接続される前記光増幅器に入力し、当該光増幅器を待機状態から動作状態に状態遷移させる
ことを特徴とする光増幅器制御方法。
【請求項４】
対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムの光増幅器制御方法において、
前記対向する光信号切替装置は、前記主信号光とは異なる波長のパイロット光を主信号光に波長多重し、前記双方向の光ファイバ伝送路にそれぞれ同じタイミングで送出する手段を備え、
前記双方向の光ファイバ伝送路に配置される２以上の光増幅中継装置のうち、一方の光信号切替装置からみて前半の光増幅中継装置であり他方の光信号切替装置からみて後半の光増幅中継装置は、光カプラで一方の光ファイバ伝送路からの入力光を分岐し、その一方の入力光を前記光増幅器に入力し、前記光カプラで分岐された入力光から前記パイロット光を光フィルタで分離し、前記光フィルタで分離された前記パイロット光を合波器で他方の光ファイバ伝送路からの入力光に波長多重し、前記光カプラで分岐された一方の入力光を前記光増幅器で増幅して一方の光ファイバ伝送路に出力するとともに、前記パイロット光を他方の光ファイバ伝送路に接続される前記光増幅器に入力し、当該光増幅器を待機状態から動作状態に状態遷移させる
ことを特徴とする光増幅器制御方法。
【発明の詳細な説明】
【技術分野】
【０００１】
本発明は、光信号切替装置および光増幅器を含む光伝送システムにおいて、光信号切替装置の光信号の切り替えに伴う光増幅器の過渡応答を抑圧する光伝送システムおよび光増幅器制御方法に関する。
【背景技術】
【０００２】
光伝送システムでは、主信号光を伝送する手段に加えて、光増幅器を含む光増幅中継装置の状態を監視するための監視制御信号伝送手段を備えることが一般的である。
【０００３】
図４は、監視制御信号伝送手段を含む光伝送システムの構成例を示す。ここでは、光ファイバ伝送路および光増幅中継装置を介して接続される端局装置間で主信号および監視制御信号を伝送する構成例を示す。
【０００４】
図において、一方の端局装置１００は、複数の主信号送信器１０１から出力される主信号を合波器１０２で波長多重し、その波長多重主信号に光カプラ１０３で監視制御信号送信器１０４から出力される監視制御信号を波長多重し、光ファイバ伝送路１０５に送出する。光ファイバ伝送路１０５には光増幅器１０６を含む光増幅中継装置１０７が挿入される。光増幅中継装置１０７は、光増幅器１０６で波長多重主信号を増幅して次段に送信するとともに、光カプラ１０８を介して分岐した波長多重光信号を監視制御信号受信器１０９に入力して監視制御信号を検出し、監視制御回路１１０に通知する。監視制御回路１１０は、前段からの監視制御信号を処理するとともに、次段に伝達する光増幅中継装置１０７の状態等の情報を生成し、監視制御信号として監視制御信号送信器１１１から送信する。監視制御信号送信器１１１から出力される監視制御信号は、光カプラ１１２で光増幅器１０６で増幅された波長多重主信号に波長多重され、光ファイバ伝送路１０５を介して次段に送信される。他方の端局装置１１３は、分波器１１４で波長多重主信号を各波長の主信号に分波して主信号受信器１１５に受信されるとともに、光カプラ１１６を介して分岐した波長多重光信号を監視制御信号受信器１１７に入力して監視制御信号を検出する。他方の端局装置１１３から光増幅中継装置１０７を介して一方の端局装置１００への伝送経路においても同様である。
【０００５】
ここで、監視制御信号送信器１０４，１１１は、主信号とは異なる波長の光源と光変調器を備え、波長多重主信号に波長多重される監視制御信号を送信する構成である。この監視制御信号の波長λosc は、図５に示すように、主信号の波長帯域（λ１〜λ４）とは異なる波長帯域で、かつ光増幅器の光増幅帯域外に設定することが一般的である。
【０００６】
一方、光伝送システムでは、複数の光信号の経路を自在に設定し、切り替えを行うために光信号切替装置が用いられる。光信号切替装置は、複数の入出力ポート間で光信号の切替接続を行うスイッチ部を基本構成とし、スイッチ部の制御によって任意の入出力ポート間を一意に接続し、さらに要求に応じてこれらの接続組み合わせの変更を可能とする（特許文献１）。この光信号切替装置のスイッチ部には、構成の簡易さ、コスト、信頼性の観点から光信号を電気信号に変換せずにそのまま切り替えを行う光スイッチを用いることが多い。
【０００７】
図６は、光信号切替装置を含む光伝送システムの構成例を示す。ここでは、簡単のために光信号切替装置１０−１〜１０−４のそれぞれの入出力ポート数を２本とし、光信号切替装置１０−１と光信号切替装置１０−２，１０−３がそれぞれ光ファイバ伝送路１，２を介して接続され、光信号切替装置１０−２，１０−３と光信号切替装置１０−４がそれぞれ光ファイバ伝送路３，４を介して接続される構成を示す。
【０００８】
一般に入出力ポート数をＭとすると（Ｍは２以上の整数）、１つの光信号切替装置１０には入出力ポートにＭ本の光ファイバ伝送路が接続される。また、波長多重伝送を行う場合に波長多重数をＮとすると（Ｎは２以上の整数）、Ｍ本の光ファイバ伝送路の光信号は、分波器１１を介してそれぞれＮ本の光信号に分離され、光スイッチ１２の（Ｎ×Ｍ）本の入力ポートに接続される。さらに、光信号切替装置１０でクライアント信号が入出力される場合、Ｋ本のＡddポートから入力するクライアント信号が光スイッチ１２のＫ本の入力ポートに接続される（Ｋは１以上の整数）。光スイッチ１２は、これら（Ｎ×Ｍ＋Ｋ）本の光信号をクロスコネクトして（Ｎ×Ｍ＋Ｋ）本の出力ポートに出力する。このうち、（Ｎ×Ｍ）本の光信号は合波器１３でそれぞれＮ本の光信号が波長多重され、Ｍ本の光ファイバ伝送路にそれぞれ出力されるとともに、Ｋ本のクライアント信号はDropポートに出力される。
【先行技術文献】
【特許文献】
【０００９】
【特許文献１】特開平０６−２９２２４６号公報
【発明の概要】
【発明が解決しようとする課題】
【００１０】
ところで、光増幅器を含む光ファイバ伝送路に光信号切替装置を接続し、光信号の送出先を切り替える場合に、光ファイバ伝送路中の総和光電力は波長多重数に応じて変化することになるが、光ファイバ伝送路中を伝搬する各波長の光信号レベルは一定に保たれる必要がある。それは、光信号レベルの低下は光信号対雑音比の低下を招く一方で、光信号レベルの増加は光ファイバの非線形光学効果による劣化を招く可能性があるためである。したがって、光波長多重伝送システムの光ファイバ伝送路に用いられる光増幅器は、各波長の光信号レベルを一定に保つための自動利得制御回路を備えることが一般的である。ただし、このような自動利得制御回路を備えた光増幅器は、入力光信号強度が急速に変動した場合に過渡応答を生ずることが知られている。
【００１１】
ここで、光信号が伝送されていない光ファイバ伝送路の光増幅器は、安全性や消費電力の観点から励起光源の出力を下げた待機状態にすることが一般的である。この待機状態にある光増幅器に光信号が入力されると、自動利得制御回路の機能により励起光源を制御して待機状態から動作状態に状態遷移する。しかし、待機状態から動作状態に遷移する時間は、動作状態における入力光信号強度の変動に対する応答時間よりも非常に大きい。さらに、待機状態の光増幅器では自動利得制御機能も停止していることから、状態遷移の際に非常に大きな過渡応答が発生する可能性がある。
【００１２】
また、このような光増幅器を含む光増幅中継装置が光ファイバ伝送路を介して多段に接続される光伝送システムにおいて、障害発生時などで予定外の光信号接続が発生した場合には、各光増幅器が待機状態からそれぞれの遷移時間を経過しながら順番に動作状態に遷移することになる。そのため、システム全体として動作状態になるまでに時間がかかり、障害発生時などで光信号の断時間が長くなる。
【００１３】
本発明は、光ファイバ伝送路および光増幅器を介して伝送される光信号が光信号切替装置の切替接続によって増減する光伝送システムにおいて、光信号の切替接続に伴う光増幅器の過渡応答を抑圧し、光信号の切替接続完了時間を短縮することができる光伝送システムおよび光増幅器制御方法を提供することを目的とする。
【課題を解決するための手段】
【００１４】
第１の発明は、対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムにおいて、対向する光信号切替装置は、主信号光とは異なる波長のパイロット光を主信号光に波長多重し、双方向の光ファイバ伝送路にそれぞれ同じタイミングで送出する手段を備え、双方向の光ファイバ伝送路に配置される２以上の光増幅中継装置のうち、一方の光信号切替装置からみて初段の光増幅中継装置であり他方の光信号切替装置からみて最終段の光増幅中継装置は、一方の光ファイバ伝送路からの入力光を主信号光とパイロット光に波長分離する分波器と、分波器で波長分離されたパイロット光を他方の光ファイバ伝送路からの入力光に波長多重する合波器とを備え、分波器で波長分離された主信号光を光増幅器で増幅して一方の光ファイバ伝送路に出力するとともに、パイロット光を他方の光ファイバ伝送路に接続される光増幅器に入力し、当該光増幅器を待機状態から動作状態に状態遷移させる構成である。
【００１５】
第２の発明は、対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムにおいて、対向する光信号切替装置は、主信号光とは異なる波長のパイロット光を主信号光に波長多重し、双方向の光ファイバ伝送路にそれぞれ同じタイミングで送出する手段を備え、双方向の光ファイバ伝送路に配置される２以上の光増幅中継装置のうち、一方の光信号切替装置からみて前半の光増幅中継装置であり他方の光信号切替装置からみて後半の光増幅中継装置は、一方の光ファイバ伝送路からの入力光を分岐し、その一方の入力光を光増幅器に入力する光カプラと、光カプラで分岐された入力光からパイロット光を分離する光フィルタと、光フィルタで分離されたパイロット光を他方の光ファイバ伝送路からの入力光に波長多重する合波器とを備え、光カプラで分岐された一方の入力光を光増幅器で増幅して一方の光ファイバ伝送路に出力するとともに、パイロット光を他方の光ファイバ伝送路に接続される光増幅器に入力し、当該光増幅器を待機状態から動作状態に状態遷移させる構成である。
【００１６】
第３の発明は、対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムの光増幅器制御方法において、対向する光信号切替装置は、主信号光とは異なる波長のパイロット光を主信号光に波長多重し、双方向の光ファイバ伝送路にそれぞれ同じタイミングで送出する手段を備え、双方向の光ファイバ伝送路に配置される２以上の光増幅中継装置のうち、一方の光信号切替装置からみて初段の光増幅中継装置であり他方の光信号切替装置からみて最終段の光増幅中継装置は、一方の光ファイバ伝送路からの入力光を分波器で主信号光とパイロット光に波長分離し、分波器で波長分離されたパイロット光を合波器で他方の光ファイバ伝送路からの入力光に波長多重し、分波器で波長分離された主信号光を光増幅器で増幅して一方の光ファイバ伝送路に出力するとともに、パイロット光を他方の光ファイバ伝送路に接続される光増幅器に入力し、当該光増幅器を待機状態から動作状態に状態遷移させる。
【００１７】
第４の発明は、対向する光信号切替装置を接続する双方向の光ファイバ伝送路に２以上の光増幅中継装置を配置し、一方の光信号切替装置から出力された主信号光を各光増幅中継装置の光増幅器で順番に増幅して他方の光信号切替装置に伝送する光伝送システムの光増幅器制御方法において、対向する光信号切替装置は、主信号光とは異なる波長のパイロット光を主信号光に波長多重し、双方向の光ファイバ伝送路にそれぞれ同じタイミングで送出する手段を備え、双方向の光ファイバ伝送路に配置される２以上の光増幅中継装置のうち、一方の光信号切替装置からみて前半の光増幅中継装置であり他方の光信号切替装置からみて後半の光増幅中継装置は、光カプラで一方の光ファイバ伝送路からの入力光を分岐し、その一方の入力光を光増幅器に入力し、光カプラで分岐された入力光からパイロット光を光フィルタで分離し、光フィルタで分離されたパイロット光を合波器で他方の光ファイバ伝送路からの入力光に波長多重し、光カプラで分岐された一方の入力光を光増幅器で増幅して一方の光ファイバ伝送路に出力するとともに、パイロット光を他方の光ファイバ伝送路に接続される光増幅器に入力し、当該光増幅器を待機状態から動作状態に状態遷移させる。
【発明の効果】
【００１８】
本発明は、対向する光信号切替装置から同じタイミングで送出される主信号光およびパイロット光が多段接続される光増幅中継装置を順番に通過するときに、一方の光信号切替装置からみて初段または前半の光増幅中継装置でパイロット光を折り返し、逆方向の光増幅器を待機状態から動作状態に状態遷移させることにより、逆方向の主信号光が到達する前に光増幅器の状態遷移を完了させることができる。これにより、システム全体の光信号接続完了時間の短縮が可能になり、また当該光増幅器における過渡応答を抑圧することができる。
【図面の簡単な説明】
【００１９】
【図１】本発明の光伝送システムの実施例１の構成例を示す図である。
【図２】パイロット光の有無に応じた光信号接続完了時間を比較した測定例を示す図である。
【図３】本発明の光伝送システムの実施例２の構成例を示す図である。
【図４】監視制御信号伝送手段を含む光伝送システムの構成例を示す図である。
【図５】主信号と監視制御信号の波長関係を示す図である。
【図６】光信号切替装置を含む光伝送システムの構成例を示す図である。
【発明を実施するための形態】
【実施例１】
【００２０】
図１は、本発明の光伝送システムの実施例１の構成例を示す。
図において、一方の光信号切替装置１０ａと他方の光信号切替装置１０ｂは、双方向の光ファイバ伝送路１，２および少なくとも２段以上の光増幅中継装置２０を介して接続される。ここでは、３段の光増幅中継装置２０ａ，２０ｂ，２０ｃが配置される例を示す。一方の光信号切替装置１０ａは、所定の出力ポートに出力する主信号光とパイロット光を光カプラ１１ａで波長多重して光ファイバ伝送路１に送出する。他方の光信号切替装置１０ｂは、所定の出力ポートに出力する主信号光とパイロット光を光カプラ１１ｂで波長多重して光ファイバ伝送路２に送出する。なお、パイロット光の波長は、主信号の波長帯域と異なる波長帯域に設定される。
【００２１】
ここで、一方の光信号切替装置１０ａから出力される主信号光と、他方の光信号切替装置１０ｂから出力される主信号光は、同じタイミングで送出されるように制御される。また、光信号切替装置１０ａ，１０ｂは、主信号光とは異なる波長のパイロット光を発生させるパイロット光源を搭載し、光ファイバ伝送路１，２に送出する主信号光の送出タイミングに同期してパイロット光を送出する制御を行うが、パイロット光の送出タイミングは、主信号光と同時またはその前後の所定のタイミングに設定される。
【００２２】
光信号切替装置１０ａからみて初段の光増幅中継装置２０ａは、光ファイバ伝送路１に接続される光増幅器２１ａの前段に主信号光とパイロット光を波長分離する分波器２３ａを備え、光ファイバ伝送路２に接続される光増幅器２２ａの前段に主信号光とパイロット光を波長多重する合波器２４ａを備える。分波器２３ａで分波された主信号光は光増幅器２１ａに入力し、増幅して光ファイバ伝送路１に送出される。分波器２３ａで分波されたパイロット光は合波器２４ａに入力し、光ファイバ伝送路２から入力する主信号光と波長多重して光増幅器２２ａに入力し、増幅して光ファイバ伝送路２に送出される。
【００２３】
光信号切替装置１０ｂからみて初段の光増幅中継装置２０ｃは、光ファイバ伝送路２に接続される光増幅器２１ｃの前段に主信号光とパイロット光を波長分離する分波器２３ｃを備え、光ファイバ伝送路１に接続される光増幅器２２ｃの前段に主信号光とパイロット光を波長多重する合波器２４ｃを備える。分波器２３ｃで分波された主信号光は光増幅器２１ｃに入力し、増幅して光ファイバ伝送路２に送出される。分波器２３ｃで分波されたパイロット光は合波器２４ｃに入力し、光ファイバ伝送路１から入力する主信号光と波長多重して光増幅器２２ｃに入力し、増幅して光ファイバ伝送路１に送出される。
【００２４】
このような構成により、光信号切替装置１０ａから光ファイバ伝送路１に主信号光とともに送出されたパイロット光は、初段の光増幅中継装置２０ａの分波器２３ａで分波され、光ファイバ伝送路２に接続された合波器２４ａを介して光増幅器２２ａに入力される。増幅器２２ａは、光ファイバ伝送路２から主信号光が入力する前に、光増幅中継装置２０ａで折り返されたパイロット光により待機状態から動作状態に状態遷移することができ、光ファイバ伝送路２から入力する主信号光に対して動作状態で対応することができるので、自動利得制御機能による大きな過渡応答も回避することができる。
【００２５】
同様に、光信号切替装置１０ｂから光ファイバ伝送路２に主信号光とともに送出されたパイロット光は、初段の光増幅中継装置２０ｃの分波器２３ｃで分波され、光ファイバ伝送路１に接続された合波器２４ｃを介して光増幅器２２ｃに入力される。増幅器２２ｃは、光ファイバ伝送路１から主信号光が入力する前に、光増幅中継装置２０ｃで折り返されたパイロット光により待機状態から動作状態に状態遷移することができ、光ファイバ伝送路１から入力する主信号光に対して動作状態で対応することができるので、自動利得制御機能による大きな過渡応答も回避することができる。
【００２６】
ここで、光信号切替装置１０ａ，１０ｂの切替時間をＴsw、光増幅中継装置２０ａ，２０ｂ，２０ｃの各光増幅器の遷移時間をＴamp 、光増幅中継装置２０ａ〜２０ｂ間の伝送時間Ｔa-b 、光増幅中継装置２０ｂ〜２０ｃ間の伝送時間Ｔb-c とする。パイロット光を用いない場合は、光増幅中継装置２０ａ，２０ｂ，２０ｃの各光増幅器は主信号光によって順番に待機状態から動作状態に遷移するが、各光増幅器が状態遷移を完了するまでの時間は、
Ｔsw＋３×Ｔamp ＋Ｔa-b ＋Ｔb-c 
となる。
【００２７】
一方、パイロット光を用いた場合は、光ファイバ伝送路１においては光増幅中継装置２０ｃの光増幅器２２ｃの遷移時間、光ファイバ伝送路２においては光増幅中継装置２０ａの光増幅器２２ａの遷移時間を考慮する必要がなくなり、各光増幅器が状態遷移を完了するまでの時間は、
Ｔsw＋２×Ｔamp ＋Ｔa-b ＋Ｔb-c 
となる。
【００２８】
図２は、パイロット光の有無に応じた光信号接続完了時間を比較した測定例を示す。一方の光ファイバ伝送路における初段の光増幅中継装置でパイロット光を、他方の光ファイバ伝送路における最終段の光増幅器に折り返し、待機状態から動作状態に状態遷移させておく。これにより、システム全体の３台の光増幅器が状態遷移を完了するまでの時間として、上記説明のように１つの光増幅器の遷移時間Ｔamp 分の時間短縮となり、かつ過渡応答も抑圧されていることがわかる。
【実施例２】
【００２９】
図３は、本発明の光伝送システムの実施例２の構成例を示す。
図において、一方の光信号切替装置１０ａと他方の光信号切替装置１０ｂは、双方向の光ファイバ伝送路１，２および少なくとも４段以上の光増幅中継装置２０を介して接続される。ここでは、４段の光増幅中継装置２０ａ，２０ｂ，２０ｃ，２０ｄが配置される例を示す。
【００３０】
本実施例の特徴は、各光ファイバ伝送路１，２に接続される光増幅中継装置のうち、前半の光増幅中継装置においてパイロット光を折り返すとともに、次段に送出する構成とする。その他の構成および機能は実施例１と同じである。
【００３１】
光信号切替装置１０ａからみて初段の光増幅中継装置２０ａは、光ファイバ伝送路１に接続される光増幅器２１ａの前段に光カプラ２５ａを備え、光カプラ２５ａを通過した主信号光およびパイロット光は、光増幅器２１ａで増幅されて光ファイバ伝送路１に送出される。また、光カプラ２５ａの分岐光は光フィルタ２６ａに入力し、パイロット光のみが選択通過する。また、光増幅中継装置２０ａは、光ファイバ伝送路２に接続される光増幅器２２ａの前段に主信号光とパイロット光を波長多重する合波器２４ａを備える。光フィルタ２６ａで選択されたパイロット光は合波器２４ａに入力し、光ファイバ伝送路２から入力する主信号光と波長多重して光増幅器２２ａに入力し、増幅されて光ファイバ伝送路２に送出される。
【００３２】
光信号切替装置１０ａからみて２段目の光増幅中継装置２０ｂも、光増幅中継装置２０ａと同様の構成である。
【００３３】
光信号切替装置１０ｂからみて初段の光増幅中継装置２０ｄは、光ファイバ伝送路２に接続される光増幅器２１ｄの前段に光カプラ２５ｄを備え、光カプラ２５ｄを通過した主信号光およびパイロット光は、光増幅器２１ｄで増幅されて光ファイバ伝送路２に送出される。また、光カプラ２５ｄの分岐光は光フィルタ２６ｄに入力し、パイロット光のみが選択通過する。また、光増幅中継装置２０ｄは、光ファイバ伝送路１に接続される光増幅器２２ｄの前段に主信号光とパイロット光を波長多重する合波器２４ｄを備える。光フィルタ２６ｄで選択されたパイロット光は合波器２４ｄに入力し、光ファイバ伝送路１から入力する主信号光と波長多重して光増幅器２２ｄに入力し、増幅されて光ファイバ伝送路１に送出される。
【００３４】
光信号切替装置１０ｂからみて２段目の光増幅中継装置２０ｃも、光増幅中継装置２０ｄと同様の構成である。
【００３５】
このような構成により、光信号切替装置１０ａから光ファイバ伝送路１に主信号光とともに送出されたパイロット光は、初段の光増幅中継装置２０ａの光カプラ２５ａおよび光フィルタ２６ａで選択され、光ファイバ伝送路２に接続された合波器２４ａを介して光増幅器２２ａに入力されるとともに、次段の光増幅中継装置２０ｂに送出される。増幅器２２ａは、光ファイバ伝送路２から主信号光が入力する前に、光増幅中継装置２０ａで折り返されたパイロット光により待機状態から動作状態に状態遷移することができ、光ファイバ伝送路２から入力する主信号光に対して動作状態で対応することができる。
【００３６】
次段の光増幅中継装置２０ｂにおいても同様である。また、逆方向の光増幅中継装置２０ｄ，２０ｃにおいても同様である。
【００３７】
なお、パイロット光を折り返す構成は、各光ファイバ伝送路１，２に接続されるすべての光増幅中継装置に備えてもよいが、パイロット光が有効に機能するのは、実施例１，２のように各光ファイバ伝送路１，２の前半に接続される光増幅中継装置である。
【００３８】
一般に、光増幅中継装置がｎ段（ｎは３以上）配置されているときに、一方の光信号切替装置からみて１段目、２段目、…の光増幅中継装置は、他方の光信号切替装置からみてｎ段目、（ｎ−１）段目、…の光増幅中継装置になる。この一方の光信号切替装置からみて前半（ｎ／２段目以前）の光増幅中継装置において、他方の光信号切替装置からみて後半（ｎ／２段目以降）の光増幅中継装置にパイロット光を折り返すことにより、当該光増幅中継装置の光増幅器に主信号光が到着する前に待機状態から動作状態に状態遷移させておくことができる。なお、ｎが奇数の場合は、実施例１に示すように、ちょうど中間に位置する光増幅中継装置ではパイロット光の折り返しがない構成でもよい。
【符号の説明】
【００３９】
１，２  光ファイバ伝送路
１０  光信号切替装置
２０  光増幅中継装置
２１，２２  光増幅器
２３  分波器
２４  合波器
２５  光カプラ
２６  光フィルタ
【図１】
2010199782.tif 000003
【図２】
2010199782.tif 000004
【図３】
2010199782.tif 000005
【図４】
2010199782.tif 000006
【図５】
2010199782.tif 000007
【図６】
2010199782.tif 000008